(57)【要約】  【課題】  金種毎に任意の必要枚数を残した硬貨の回収および補充作業を同時に迅速かつ確実に行う。  【解決手段】  コインチューブにおける釣銭として残す硬貨枚数に対応する位置の背面側に、開口部の幅が硬貨外径より大きいように形成した複数のスリット孔と、スリット孔に位置する硬貨の背面側を保持しながら硬貨が脱落しない範囲において背面側に揺動してかつ装置が直立している状態においては前記各スリット孔全てをそれぞれ閉塞する係止解除レバーとを設け、前記スリット孔と前記係止解除レバーとの組み合わせを、前記コインチューブを構成するチューブのうち少なくとも１つに配設して、前記スリット孔に位置する硬貨が、前記装置を背面側に傾倒した際に前記スリット孔内に摺動して、かつ、前記係止解除レバーの揺動停止により係止され、前記係止解除レバーが、前記スリット孔内に係止した硬貨を正面側に押圧することにより係止を解除されるようにした。【選択図】  図２Ａ
2014021600.tif 000002
【特許請求の範囲】
【請求項１】
装置正面に操作部を有するラッチ機構を介して硬貨処理装置に脱着自在に装着可能であって、
硬貨を整列積載収納するために直線的かつ並列に設けられた複数のチューブからなるコインチューブを有する脱着式硬貨収納装置において、
前記チューブにおける釣銭として残す硬貨枚数に対応する位置の背面側に、開口部の幅が硬貨外径より大きいように形成した複数のスリット孔と、
スリット孔に位置する硬貨の背面側を保持しながら該硬貨が脱落しない範囲において自重によって背面側に揺動してかつ前記脱着式硬貨収納装置が直立している状態においては前記各スリット孔全てをそれぞれ閉塞する係止解除レバーとを有し、
前記スリット孔と前記係止解除レバーとの組み合わせを、前記コインチューブを構成する前記チューブのうち少なくとも１つに配設して、
前記スリット孔に位置する硬貨が、前記脱着式硬貨収納装置を背面側に傾倒した際に前記スリット孔に上下方向を挟持されながら背面側に摺動して、かつ、前記係止解除レバーの揺動停止により係止され、
前記係止解除レバーが、前記スリット孔内に挟持された状態のまま係止した硬貨を正面側に押圧することにより係止を解除されることを特徴とする脱着式硬貨収納装置。
【請求項２】
前記スリット孔と前記係止解除レバーとの組み合わせが、前記コインチューブを構成する前記チューブのうち少なくとも１つに少なくとも２組を配設することで、
前記少なくとも２組の各スリット孔に位置する硬貨が各スリット孔に上下方向を挟持されて係止したときに、
前記チューブに残す硬貨枚数を前記係止した硬貨に対応するように複数段設定できることを特徴とする請求項１に記載の脱着式硬貨収納装置。
【発明の詳細な説明】
【技術分野】
【０００１】
本発明は、自動販売機、両替機、サービス機器等の機器内部に搭載される硬貨処理装置に脱着可能である硬貨収納装置に関し、特に硬貨収納装置から必要な枚数を残して他の硬貨を取り出す技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置に搭載される脱着式硬貨収納装置（以下、硬貨収納装置と称す。）は、硬貨処理装置に対して脱着自在であって、金種別に硬貨を積載収納する複数のチューブからなるコインチューブが設けられている。
【０００４】
上記硬貨収納装置は、主に、硬貨選別装置から落下する硬貨を整列積載収納するための直線的かつ並列に設けられた複数のチューブからなるコインチューブと、硬貨収納装置の下方部を塞ぐようにコインチューブの下方域にねじ等で固着されたコインベースと、コインチューブの下端とコインベースとの間にスライド自在に支承され、複数のチューブ全ての最下層にある硬貨を一枚ずつ引き出すペイアウトスライドとから構成される（特許文献１：特開２００２-６３６４０号公報、等）。
【０００５】
この硬貨収納装置は、さらに、硬貨収納装置の上部を硬貨処理装置本体に係止または解除するラッチ機構と、取り外しおよび装着の際に指を嵌挿して引っかけるために硬貨収納装置正面に形成された取手部とを具えており、ラッチ機構を操作して硬貨処理装置本体と硬貨収納装置との結合を解除することによって、硬貨処理装置を機器に配設した状態のまま硬貨収納装置を取り外すことができる。
【０００６】
ところで、上記硬貨処理装置を搭載した自動販売機等の機器においては、定期的に商品等の補充や、収納紙幣および硬貨の回収、釣銭の補充をする必要がある。
【０００７】
特に、収納硬貨の回収および補充においては、硬貨処理装置本体から離脱させた硬貨収納装置のコインチューブ内の収納硬貨を全て回収した後、硬貨処理装置を搭載した自動販売機等機器の設置場所に適合した釣銭枚数を数えて、再度、コインチューブへ補充する必要がある。
【０００８】
そして、これらの作業は、収納硬貨回収と釣銭の補充とを迅速かつ確実に行うことが必要とされている。
【０００９】
コインチューブ内の残留硬貨の回収および釣銭用硬貨の補充を容易にするため、本出願人は、コインチューブの背面側を、釣銭として残したい枚数の硬貨の高さを境界として、それより下部は装置本体で形成し、上部は蓋体で形成することによって、任意の必要枚数を残して硬貨を回収可能である技術を開発している（特許文献２：特開２０１０−１４６３１４号公報）。
【００１０】
しかしながら、上記特許文献２の技術においては、硬貨回収時にコインチューブ内に残す釣銭用硬貨の枚数を変更することができないので、自動販売機の商品販売価格やロケーションに応じて、それぞれ別形態の硬貨収納装置を用意する必要がある。
【００１１】
また、硬貨回収補助具をコインチューブ内に嵌着してコインチューブの蓋を閉じた状態で硬貨収納装置を倒し、前記硬貨回収補助具よりも上方に積み上げられた硬貨のみをコインチューブ上部の開口部から排出することによって、任意の必要枚数を残して硬貨を回収可能である技術を開発している（特許文献３：特開２０１０−１４６１７８号公報）。
【００１２】
しかしながら、上記特許文献３の技術においては、硬貨回収及び補充の作業を効率的に行うことはできるが、硬貨回収補助具という別部品を用意する必要があり煩雑である。さらに、勢いよく硬貨収納装置を倒した場合、釣銭として残したい硬貨まで落下してしまう虞があり、確実性に課題を有する。
【００１３】
また、コインチューブに設けた押圧部材を操作して硬貨側面を加圧して保持ことによって、硬貨収納装置を逆さまにした際に、釣銭として残したい硬貨の落下を防止する技術が開示されている（特許文献４：特開平０６−３３３１１８号公報）
【００１４】
しかしながら、上記特許文献４の技術においては、硬貨収納装置の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【先行技術文献】
【特許文献】
【００１５】
【特許文献１】特開２００２-６３６４０号公報
【特許文献２】特開２０１０−１４６３１４号公報
【特許文献３】特開２０１０−１４６１７８号公報
【特許文献４】特開平０６−３３３１１８号公報
【発明の概要】
【発明が解決しようとする課題】
【００１６】
そこで、本発明は、上述した事情に鑑み、任意の必要枚数を残した収納硬貨の回収を、硬貨処理装置本体からの脱着作業中に持ち替えることを必要とせずに、残留硬貨の落下を防止して、硬貨の回収および補充作業を同時に迅速かつ確実に行うことが可能な硬貨収納装置において、特別な別部品を使用せずに、かつ構成部品の交換を必要とせずに、残留硬貨の枚数を金種毎に適宜変更可能である硬貨収納装置を提供することを目的とする。
【課題を解決するための手段】
【００１７】
上述した課題を解決するために、チューブにおける釣銭として残す硬貨枚数に対応する位置の背面側に、開口部の幅が硬貨外径より大きいように形成した複数のスリット孔と、スリット孔に位置する硬貨の背面側を保持しながら該硬貨が脱落しない範囲において自重によって背面側に揺動してかつ硬貨収納装置が直立している状態においては前記各スリット孔全てをそれぞれ閉塞する係止解除レバーとを設け、前記スリット孔と前記係止解除レバーとの組み合わせを、前記コインチューブを構成する前記チューブのうち少なくとも１つに配設して、前記スリット孔に位置する硬貨が、前記硬貨収納装置を背面側に傾倒した際に前記スリット孔に上下方向を挟持されながら背面側に摺動して、かつ、前記係止解除レバーの揺動停止により係止され、前記係止解除レバーが、前記スリット孔内に挟持された状態のまま係止した硬貨を正面側に押圧することにより係止を解除されるようにしている。
【００１８】
さらに、前記スリット孔と前記係止解除レバーとの組み合わせが、前記コインチューブを構成する前記チューブのうち少なくとも１つに少なくとも２組を配設することで、前記少なくとも２組の各スリット孔に位置する硬貨が各スリット孔に上下方向を挟持されて係止したときに、前記チューブに残す硬貨枚数を前記係止した硬貨に対応するように複数段設定できるようにしている。
【発明の効果】
【００１９】
このような構成によれば、硬貨収納装置を背面側に傾倒した際に、スリット孔内にスライド移動し挟持された状態の硬貨が、該硬貨より下方に位置する硬貨に対して蓋の役割をなして、釣銭として残す硬貨をチューブ内に残したまま、釣銭として残す硬貨以外をチューブ上端から取り出すことができ、また、これらスリット孔および係止解除レバーは各チューブにそれぞれ複数設けることが可能であるので、係止解除レバーの操作に伴って、各チューブに残す硬貨枚数を金種毎に適宜変更することができる。
【００２０】
さらに、この硬貨回収の一連の作業は、硬貨収納装置を硬貨処理装置本体からの脱着作業内に、持ち替えることを必要とせず行うことが可能であるので、特別な別部品を使用せずに、かつ構成部品の交換を必要とせずに、金種毎に任意の必要枚数を残した硬貨の回収および補充作業を同時に迅速かつ確実に行うことができる。
【図面の簡単な説明】
【００２１】
【図１Ａ】本発明に係る硬貨収納装置の主に背面側の構成を示す斜視図。
【図１Ｂ】図１ＡにおけるＸ部分拡大図。
【図２Ａ】係止解除レバー動作時の様子を示す背面側斜視図。
【図２Ｂ】図２ＡにおけるＹ部分拡大図。
【図３】リアチューブを拡開した状態を示す背面側斜視図。
【図４】硬貨収納装置の主に正面側の構成を示す斜視図。
【図５】硬貨収納装置を搭載した硬貨処理装置の主に正面側の構成を示す斜視図。
【図６】図５において硬貨収納装置脱着時の様子を示す斜視図。
【図７】チューブ２４において、硬貨収納装置を正面側に傾倒した状態を示す概略側断面図。
【図８】図７の状態から、硬貨収納装置を背面側に傾倒した状態を示す概略側断面図。
【図９】図８の状態から、硬貨収納装置を逆さまに傾倒した状態を示す概略側断面図。
【図１０】図９における硬貨収納装置を硬貨処理装置に装着する様子を示す概略側断面図。
【図１１】図１０における硬貨収納装置を硬貨処理装置に装着した状態を示す概略側断面図。
【図１２】図９の状態から、係止解除レバー６’を解除した様子を示す概略側断面図。
【発明を実施するための形態】
【００２２】
以下、本発明に係る硬貨収納装置の実施例を示して詳述する。
まず、硬貨収納装置の構成について説明する。
【００２３】
硬貨収納装置１は、図１Ａおよび図２Ａに示すように、硬貨選別部１１０（図５等参照）から落下する硬貨を整列積載収容するための直線的かつ並列的に設けられた複数のチューブ２１〜２５からなるコインチューブ２を有し、硬貨収納装置１の本体を構成する筐体３と、コインチューブ２背面を開閉自在に覆うリアチューブ４と、硬貨収納装置１の下方部を塞ぐようにコインチューブ２の下方域にねじ等で固着されたコインベース５とから主に構成されるものである。
【００２４】
なお、本実施例において、コインチューブ２は、５本のチューブ２１、２２、２３、２４、２５に、それぞれ、１０円硬貨、５０円硬貨、１０円硬貨、１００円硬貨、５００円硬貨を積載収納するように設けている。
【００２５】
そして、図１Ｂおよび図２Ｂに示すように、リアチューブ４におけるチューブ２３の背面側には、略凸字形状の切欠部４１を形成しており、リアチューブ４におけるチューブ２４の背面側には、略凸字形状の切欠部４１’、４１’’を形成している。
【００２６】
この各切欠部４１、４１’、４１’’の下部における幅広部（以下、スリット孔４２、４２’、４２’’と称す）の幅は、それぞれ、各チューブ２３、２４に収納される金種の硬貨外径より幅広に形成している。
【００２７】
また、本実施例においては、各スリット孔４２、４２’、４２’’の高さを、それぞれ、各チューブ２３、２４に収納される金種の硬貨３枚分の高さと略同等であるように設けている。
【００２８】
すなわち、各スリット孔４２、４２’、４２’’は、各スリット孔４２、４２’、４２’’に位置する３枚ずつの硬貨が、硬貨収納装置１を背面側に傾倒させた際に、上下方向を各スリット孔４２、４２’、４２’’によって挟持されながら背面側にスライド可能である様態に形成されるものである。
【００２９】
ここで、各チューブ２３、２４の底面から、各スリット孔４２、４２’、４２’’におけるそれぞれの上辺４３、４３’、４３’’までの高さは、それぞれ、１０円硬貨５０枚分、１００円硬貨４５枚分、１００円硬貨２５枚分の高さと略同等であるように設けている。
【００３０】
他方、リアチューブ４の切欠部４１、４１’、４１’’には、この切欠部４１、４１’、４１’’を塞ぐように形成した係止解除レバー６、６’、６’’を設けている。
【００３１】
この係止解除レバー６、６’、６’’は、切欠部４１、４１’、４１’’のそれぞれの上縁に設けた回転軸６１、６１’、６１’’を中心として、自重により背面側に揺動自在であるように支承されるものであって、係止解除レバー６、６’、６’’によって、切欠部４１、４１’、４１’’を閉塞している状態においては、正面側の面がチューブ２３、２４の内周壁面の一部を構成するものである。
【００３２】
そして、係止解除レバー６、６’、６’’の上端には、それぞれ、ストッパー６２、６２’、６２’’を形成し、係止解除レバー６、６’、６’’が所定の位置以上に揺動しないようにしており、各スリット孔４２、４２’、４２’’に位置する３枚ずつの硬貨が背面側にスライドした際に、各係止解除レバー６、６’、６’’が硬貨を係止して、硬貨が背面側から脱落することがないようにしている。
【００３３】
このように、背面側にスライド移動して、各スリット孔４２、４２’、４２’’によって上下方向を挟持され、各係止解除レバー６、６’、６’’によって背面側を保持された硬貨は、硬貨より下方に位置する硬貨に対して蓋の役割をなして、上方への移動を規制する。
【００３４】
また、これら硬貨は、それぞれ係止解除レバー６、６’、６’’を正面側に押圧して、切欠部４１、４１’、４１’’を閉塞することによって、各チューブ２３、２４内の正常な位置に戻すことができる。
【００３５】
さらに、リアチューブ４の背面側には、切欠部４１、４１’の下端中央に連通して、それぞれ略Ｕ字形状の凹状壁面４４、４４’を形成している。
【００３６】
この凹状壁面４４、４４’に対向するように、係止解除レバー６、６’の下端には、略Ｕ字形状のストッパー６３、６３’を形成しており、係止解除レバー６、６’が切欠部４１、４１’を閉塞している状態においては、凹状壁面４４、４４’がストッパー６３、６３’に嵌合して、係止解除レバー６、６’がチューブ２３、２４内に侵入するのを防ぐようにしている。
【００３７】
また、係止解除レバー６’’下部の左右側部には、突起状の一対のストッパー６４、６４を形成しており、係止解除レバー６’’が切欠部４１、４１’を閉塞している状態においては、ストッパー６４、６４が、リアチューブ４の背面側に当接して、係止解除レバー６’’がチューブ２４内に侵入するのを防ぐようにしている。
【００３８】
このように、係止解除レバー６、６’、６’’が正面側に揺動してチューブ２３、２４内に侵入するのを防ぐことによって、チューブ２３、２４内に落下してきた硬貨が引っ掛かるのを回避している。
【００３９】
上述した如く構成によると、スリット孔４２、４２’、４２’’内にスライド移動し挟持された状態の硬貨は、該硬貨より下方に位置する硬貨に対して蓋の役割をなすものであるので、スリット孔４２、４２’、４２’’に硬貨が挟持されている状態においては、該硬貨より下方に位置する硬貨を釣銭としてチューブ２３、２４内に残しながら、チューブ２３、２４の上端からそれ以外の硬貨を回収できる。
【００４０】
そして、係止解除レバー６、６’、６’’を正面側に押圧するか否かによって、それぞれスリット孔４２、４２’、４２’’に位置する硬貨の係止または解除を選択可能なので、硬貨回収時においてチューブ２３、２４内に残す硬貨枚数を適宜選択することができる。
【００４１】
例えば、チューブ２４においては、スリット孔４２’の上辺４３’は、１００円硬貨４５枚分の高さと同等であるように形成し、スリット孔４２’’の上辺４３’’は、１００円硬貨２５枚分の高さと同等であるように形成している。
【００４２】
したがって、スリット孔４２’に硬貨を挟持したままにすると、１００円硬貨４５枚を残し、係止解除レバー６’によってスリット孔４２’に挟持された硬貨の係止を解除してかつスリット孔４２’’に硬貨が挟持したままにすると、１００円硬貨２５枚を残し、係止解除レバー６’、６’’によってスリット孔４２’、４２’’に挟持された硬貨全ての係止を解除すると、チューブ２４内に硬貨を残さないという３通りを選択することができる。
【００４３】
また、チューブ２３においては、スリット孔４２の上辺４３は、１０円硬貨５０枚分の高さと同等であるように形成しているので、係止解除レバー６によってスリット孔４２に挟持された硬貨を係止または解除することによって、１０円硬貨５０枚を残すか否かの２通りを選択することができる。  
【００４４】
このように、本実施例の硬貨収納装置１においては、１００円硬貨は残す硬貨枚数を３通り選択でき、１０円硬貨は残す硬貨枚数を２通り選択でき、残す硬貨枚数はチューブ毎にそれぞれ選択できるものである。
【００４５】
なお、残す硬貨の金種および枚数の設定は、本実施例の設定に限らず、設計上、係止解除レバーの配設が可能である範囲において、どのようなものであっても構わない。
【００４６】
また、本実施例においては、スリット孔４２、４２’、４２’’内にスライド移動し挟持される硬貨をそれぞれ３枚ずつにしているが、スリット孔の上端に挟持される硬貨が設定枚数の硬貨となるようにすれば、硬貨のスライド動作に問題ない範囲において、硬貨枚数を変更しても構わない。
【００４７】
ところで、図３に示すように、リアチューブ４は、筐体３の下部に形成した軸部３１とリアチューブ４に設けた軸部４５との係合により、筐体３に対して回転自在に支承されている。
【００４８】
なお、従来の技術と同様に、リアチューブ４の軸部４５を軸部３１に取り付ける際は、軸部４５を先端に有する腕部４５ａの弾性（樹脂材料の弾性復帰力等）を利用するものである。
【００４９】
そして、リアチューブ４および係止解除レバー６、６’、６’’を閉塞している状態においては、コインチューブ２の硬貨を収納するチューブ２１〜２５の内周壁面は、筐体３と、リアチューブ４と、係止解除レバー６、６’、６’’とによって形成される。
【００５０】
すなわち、リアチューブ４を拡開している状態においては、コインチューブ２内の収納硬貨の外周面略半分が硬貨収納装置１から露出するように構成されるので、従来の技術と同様に、コインチューブ２の上端からのみならず、背面側から収納硬貨を回収および補充することが可能である。
【００５１】
また、図４に示すように、この硬貨収納装置１正面には、硬貨収納装置１の上部を硬貨処理装置１００（図５および図６参照）本体に係止または解除するラッチ機構７を操作するラッチ操作部７１を有し、筐体３の正面を覆う正面カバー３２には、ラッチ操作部７１を操作可能であるように設けられた操作孔３２ａと、取り外しおよび装着の際に指を嵌挿して引っかけるための取手孔３２ｂとを具えている。
【００５２】
このような硬貨収納装置１は、図５および図６に示すように、硬貨処理装置１００に対して着脱自在に装着されるものであって、コインベース５の前面に形成した切欠部５１、５１と、硬貨処理装置１００の下方部を構成するボトムベース１２０前面の上縁に上方に向かって形成した外れ止め爪１２１、１２１との係合によって、正面側下縁が軸止され、さらに、ラッチ機構７の操作により筐体３上部の両側面に出没自在である爪部７２と、硬貨処理装置１００本体の係止部１０１との係合によって、上部が固定される。
【００５３】
そして、操作孔３２ａを介してラッチ操作部７１に親指をかけ、取手孔３２ｂにその他の指を嵌挿した状態で、ラッチ操作部７１を下方に押し下げ、爪部７２を係止部１０１から解除して、硬貨処理装置１００本体上部との係合を解除するとともに、切欠部５１、５１および外れ止め爪１２１、１２１を軸として回転させることによって、硬貨処理装置１００を図示せぬ機器に配設した状態のまま硬貨収納装置１を取り外すことができる。
【００５４】
上述した硬貨収納装置１の脱着操作は、ラッチ操作部７１と取手孔３２ｂとを、片手で掴持可能であるように配置することによって、片手のみの操作で行うことが可能である。
【００５５】
なお、後述するように、硬貨収納装置１を硬貨処理装置１００に装着する動作によって、硬貨処理装置１００のリアチューブ４背面側と接する部位が係止状態の係止解除レバー６、６’、６’’を正面側に押圧して、係止状態にある硬貨をコインチューブ２内の正しい位置に戻すようにしている（図１０および図１１参照）。
【００５６】
次に、上述の如く構成した本発明の硬貨収納装置１において、硬貨収納装置１内に収納された硬貨を回収する方法と、硬貨回収時における一連の動作について、１００円玉硬貨を収納するチューブ２４を例にあげて説明する。
【００５７】
まず、硬貨収納装置１正面に設けられたラッチ機構７の操作部７１と取手孔３２ｂとを片手で掴持しながら、ラッチ機構７を解除して、硬貨収納装置１を硬貨処理装置１００本体から取り外す。この際、図６に示すように、硬貨収納装置１は爪７２と係止部１０１との係合を解除した後、正面側に傾けて取り外すので、図７に示すように、係止解除レバー６’、６’’は揺動せず、初期状態を保つ。
【００５８】
次に、図８に示すように、硬貨収納装置１を背面側に傾倒すると、係止解除レバー６’、６’’が背面側に揺動してスリット孔４２’、４２’’が解放され、チューブ２４に収納された硬貨のうち、スリット孔４２’、４２’’に位置する硬貨が背面側に若干スライドする。係止解除レバー６’、６’’がストッパー６２’、６２’’によって揺動を停止すると、スライドした硬貨が、係止解除レバー６’、６’’によって係止され、上下方向をスリット孔４２’、４２’’に挟持された状態のまま図に示す所定の位置に停止する。
【００５９】
チューブ２４内に釣銭として１００円硬貨４５枚を残す場合は、図８に示す状態から、硬貨収納装置１をさらに傾倒して逆さまにする。スリット孔４２’、４２’’に挟持された硬貨は、それより下方に位置する硬貨に対して蓋の役割をなしているので、図９に示すように、スリット孔４２’に挟持された硬貨より上方（図示下方）に位置する硬貨を、チューブ２４の上端から取り出すことができる。
【００６０】
その後、図１０および図１１に示すように、硬貨収納装置１を硬貨処理装置１００に再び装着し、硬貨回収作業は終了する。この際、図６に示すように、硬貨収納装置１は正面側に傾倒した状態で、切欠部５１、５１を外れ止め爪１２１、１２１に係合した後、これらを軸として背面側に回転させて装着するので、スリット孔４２’、４２’’に挟持された硬貨は正面側にスライド移動してチューブ２４内の元の位置に戻り、係止解除レバー６’、６’’は初期位置に戻る。
【００６１】
たとえ、図１０に示すように、スリット孔４２’、４２’’に挟持された硬貨が、スムーズにスライド移動しない場合においても、図１１に示すように、硬貨収納装置１を硬貨処理装置１００に装着する動作によって、硬貨処理装置１００のチューブ２４背面側と接する部位が係止解除レバー６’、６’’を正面側に押圧して、係止状態にある硬貨はチューブ２４内の正しい位置に戻される。
【００６２】
チューブ２４内に釣銭として１００円硬貨２５枚を残す場合は、図９に示す状態から、さらに、図１２に示すように、係止解除レバー６’を正面側に押圧してスリット孔４２’を閉塞し、スリット孔４２’に挟持された硬貨をチューブ２４内の正常な位置に戻す。ここで、硬貨収納装置１は片手で掴持している状態なので、硬貨収納装置１を持ち替えることなく、もう一方の手で係止解除レバー６’を操作することが可能である。
【００６３】
スリット孔４２’’に挟持された硬貨より下方（図示上方）に位置する硬貨は係止されたまま、スリット孔４２’に挟持された硬貨より上方（図示下方）に位置する硬貨の係止は解除されるので、さらに１００円硬貨２０枚をチューブ２４の上端から取り出すことができ、釣銭として残す硬貨枚数を４５枚から２５枚に変更することが可能である。
【００６４】
このように、硬貨収納装置１を背面側に傾けてから逆さまにすると、チューブ２４内に釣銭として硬貨を残すことができるが、正面側に傾けてから逆さまにすると、係止解除レバー６’、６’’は揺動せず、スリット孔４２’、４２’’内に硬貨がスライド移動しないので、チューブ２４内の全硬貨が回収される。
【００６５】
図示していないが、チューブ２１、２２、２３、２５における硬貨の回収も、チューブ２４と同時に行われる。
【００６６】
ここで、チューブ２３における１０円硬貨の回収の手順は、チューブ２４と同様であり、硬貨収納装置１を背面側に傾倒し、スリット孔４２に硬貨を挟持した状態において、硬貨収納装置１をさらに傾倒して逆さまにすると、チューブ２３内に釣銭として１０円硬貨を５０枚残すことができる。
【００６７】
本実施例においては、チューブ２１、２２、２５における１０円硬貨、５０円硬貨、５００円硬貨は、全硬貨が回収されるものとしているが、スリット孔および係止解除レバーを配設することによって、釣銭として残す硬貨枚数を適宜設定可能である。
【００６８】
コインチューブ２内の全硬貨を回収する場合は、図３に示すように、リアチューブ４を拡開して、背面側から硬貨を回収することもできるが、リアチューブ４を閉塞したままの回収では、硬貨が整列した状態で排出されるので、回収袋に入れやすいという利点がある。
【００６９】
以上の如く、本発明の硬貨収納装置は、各チューブにおけるリアチューブ側の釣銭として残す硬貨枚数に対応する位置に形成したスリット孔と、スリット孔に位置する硬貨の背面側を保持しながら自重によって背面側に揺動してかつ硬貨収納装置が直立している状態においてはスリット孔を閉塞する係止解除レバーとを有し、硬貨収納装置を背面側に傾倒した際に、スリット孔内に硬貨がスライド移動して上下方向を挟持されて、該硬貨より下方に位置する硬貨に対して蓋の役割をなすとともに、該蓋の役割をなす硬貨は、係止解除レバーによって正面側に押圧されることにより、チューブ内に押し戻されて正しい位置に収納されるようにしたものである。
【００７０】
このような構成によると、釣銭として残す硬貨をチューブ内に残したまま、釣銭として残す硬貨以外をチューブ上端から取り出すことができ、また、これらスリット孔および係止解除レバーの組み合わせは各チューブにそれぞれ複数設けることが可能であるので、係止解除レバーの操作に伴って、各チューブに残す硬貨枚数を金種毎に適宜変更することができる。
【００７１】
さらに、この硬貨回収の一連の作業は、硬貨収納装置を硬貨処理装置本体からの脱着作業内に、持ち替えることを必要とせず行うことが可能である。
したがって、特別な別部品を使用せずに、かつ構成部品の交換を必要とせずに、金種毎に任意の必要枚数を残した硬貨の回収および補充作業を同時に迅速かつ確実に行うことができる。
【符号の説明】
【００７２】
１    硬貨収納装置
２    コインチューブ
２１  チューブ（１０円硬貨用）
２２  チューブ（５０円硬貨用）
２３  チューブ（１０円硬貨用）
２４  チューブ（１００円硬貨用）
２５  チューブ（５００円硬貨用）
３    筐体（装置本体）
３１  軸部
３２  正面カバー
４    リアチューブ
４１  切欠部
４２  スリット孔
４３  上辺
４４  凹状壁面
４５  軸部
５    コインベース
５１  切欠部
６    係止解除レバー
６１  回転軸
６２  ストッパー
６３  ストッパー
６４  ストッパー
７    ラッチ機構
７１  ラッチ操作部
７２  爪部
１００  硬貨処理装置
１０１  係止部
１１０  硬貨選別部
１２０  ボトムベース
１２１  外れ止め爪
【図１Ａ】
2014021600.tif 000003
【図１Ｂ】
2014021600.tif 000004
【図２Ａ】
2014021600.tif 000005
【図２Ｂ】
2014021600.tif 000006
【図３】
2014021600.tif 000007
【図４】
2014021600.tif 000008
【図５】
2014021600.tif 000009
【図６】
2014021600.tif 000010
【図７】
2014021600.tif 000011
【図８】
2014021600.tif 000012
【図９】
2014021600.tif 000013
【図１０】
2014021600.tif 000014
【図１１】
2014021600.tif 000015
【図１２】
2014021600.tif 000016